(57)【特許請求の範囲】
【請求項１】
部材の一部に引っ掛け用の弾性爪を設け、この弾性爪を取付箇所に設定した掛け止め部に掛け止めることによって部材を取り付けるようにしたものであって、
前記弾性爪を、基端側を部材に支持させ先端側を対面状態で突出させて同対面方向に弾性変形可能な一対の脚と、両脚の先端部間を連結する連結部とを具備してなるものにし、脚或いは連結部の一部に掛け止め部と係わり合う引っ掛け部を形成しているとともに、
弾性爪が部材と共に一体成形されていることを特徴とする部材取付構造。
【請求項２】
部材が、弾性爪の脚に沿う部分及び該部分から同一平面上に延伸してなる部分を有する側壁を有しており、これら脚と側壁の間を基端側の一定領域に亘って接続していることを特徴とする請求項１記載の部材取付構造。
【請求項３】
部材が、底壁及び一対の側壁を具備してなるチャネル状のものであり、それら側壁間に位置づけて底壁に対をなす弾性爪の基端側をそれぞれ支持させるとともに、各弾性爪の脚及び対応する側壁の間をそれぞれ基端側の一定領域に亘って接続していることを特徴とする請求項１叉は２記載の部材取付構造。
【請求項４】
弾性爪が部材と共に樹脂により一体成形されていることを特徴とする請求項１、２叉は３記載の部材取付構造。
【請求項５】
部材が配線ダクトであり、取付箇所がデスクを構成するパネルであることを特徴とする請求項１、２、３叉は４記載の部材取付構造。
【請求項６】
部材の一部に引っ掛け用の弾性爪を設け、この弾性爪を取付箇所に設定した掛け止め部に掛け止めることによって部材を取り付けるようにしたものであって、
前記弾性爪を、基端側を部材に支持させ先端側を突出させた弾性変形可能な一対の脚と、両脚の先端部間を連結する連結部とを具備してなるものにし、脚或いは連結部の一部に掛け止め部と係わり合う引っ掛け部を形成し、
前記部材が配線ダクトであり、前記取付箇所がデスクを構成するパネルであり、
パネルの下縁に上向きに開口する開口溝を有する折り曲げ部が形成されるとともに、該パネルの折り曲げ部よりも上方位置に幅方向に沿って上向きに開口する開口溝を有するコード受け取付部が形成されており、これらコード受け取付部と折り曲げ部とに亘って縦方向に配線ダクトを配置し、コード受け取付部若しくは折り曲げ部の少なくとも一方を掛け止め部として、配線ダクトの対応位置に下向き鈎形をなす引っ掛け部を有する弾性爪を設けていることを特徴とする部材取付構造。
【発明の詳細な説明】
【０００１】
【発明の属する技術分野】
本発明は、弾性爪を利用して部材を所要の掛け止め部に掛け止めておけるようにした部材取付構造に関するものである。
【０００２】
【従来の技術】
部材の一部に引っ掛け用の弾性爪を設け、この弾性爪を取付箇所に設定した掛け止め部に掛け止めることによって該部材を取り付けるようにした取付構造は従来より一般に知られている。そして、その一例として、デスクを構成するパネルの内面に縦方向に配線ダクトを取り付ける際の構造を挙げることができる。
【０００３】
かかる配線ダクトは、一般にチャネル状をなし、パネル側にダクト空間が臨むようにして一対の側壁をパネルの前面に衝き当てて配置されるもので、その側壁の上端側に上向き鈎形の弾性爪を設けるとともに、下端側に下向き鈎形の弾性爪を設けている。そして、これらの弾性爪を、パネルの上縁に下向きに開口する折り曲げ部及び同パネルの下縁側に上向きに開口する折り曲げ部にそれぞれ弾性により係わり合わせて、配線ダクトをパネルに取り付けるようにしている。その際、前記弾性爪は、基端を側壁の適宜箇所に支持され先端を自由端とした板状をなす単一の脚からなり、その脚の先端側に鈎形の引っ掛け部を形成しているのが通例である。
【０００４】
【発明が解決しようとする課題】
ところで、かかる従来の取付構造において、弾性爪の強度を高める必要があるときには、脚を厚肉なものにする以外に手はない。しかしながら、従来の弾性爪は板状をなす単一の脚を主体として構成されているため、強度向上や弾性力の微妙な調整には限界があるし、繰り返し利用による部材の疲労によって、極端な場合には弾性爪が折れる場合もある。また、脚の肉厚を変えるためには、金型の大幅な変更も強いられることとなる。
【０００５】
【課題を解決するための手段】
上記の問題点を解決するために、本発明は、弾性爪をその弾性変形機能を損なわずにブロック体状のものとし、これにより強度向上を有効に図り得るようにするとともに、弾性力の微妙な調整も弾性爪を形成する脚の肉厚以外のパラメータによって行い得るように構成することとしている。
【０００６】
【発明の実施の形態】
そのために、本発明の部材取付構造は、部材の一部に引っ掛け用の弾性爪を設け、この弾性爪を取付箇所に設定した掛け止め部に掛け止めることによって部材を取り付けるようにしたものであって、前記弾性爪を、基端側を部材に支持させ先端側を対面状態で突出させて同対面方向に弾性変形可能な一対の脚と、両脚の先端部間を連結する連結部とを具備してなるものにし、脚或いは連結部の一部に掛け止め部と係わり合う引っ掛け部を形成しているとともに、弾性爪が部材と共に一体成形されていることを特徴とする。
【０００７】
このような取付構造によると、脚が対をなしていることによる強度の倍増と、脚が弾性変形時に連結部を含め全体が撓もうとする際の脚相互の撓み量の違いに起因した抵抗による強度向上も期待することができる。特に、本発明は長期に繰り返し利用されても、弾性変形時に掛かる荷重を各弾性爪で分散させて支持することができるため、長期に亘って疲労による損傷や破損を有効に防止することができる。
さらに、弾性爪が部材と共に一体成形されているので、成形容易で適正な弾性爪の機能を奏させることができる。
【０００８】
弾性力の微妙な調整を脚の肉厚のみに頼らずに行い得るようにするためには、部材が、弾性爪の脚に沿う部分及び該部分から同一平面上に延伸してなる部分を有する側壁を有しており、これら脚と側壁の間を基端側の一定領域に亘って接続していることが好ましい。
具体的な実施の態様としては、部材が、底壁及び一対の側壁を具備してなるチャネル状のものであり、それら側壁間に位置づけて底壁に対をなす弾性爪の基端側をそれぞれ支持させるとともに、各弾性爪の脚及び対応する側壁の間をそれぞれ基端側の一定領域に亘って接続しているものが挙げられる。
【０００９】
成形容易で適正な弾性爪の機能を奏させるためには、弾性爪が部材と共に樹脂により一体成形されていることが望ましい。
本発明の好適な適用例としては、部材が配線ダクトであり、取付箇所がデスクを構成するパネルであるものが挙げられる。
パネルが、既存の構造として、該パネルの下縁に上向きに開口する開口溝を有する折り曲げ部が形成されるとともに、該パネルの折り曲げ部よりも上方位置に幅方向に沿って上向きに開口する開口溝を有するコード受け取付部が形成されたものであり、これらコード受け取付部と折り曲げ部とに亘って縦方向に配線ダクトを配置する場合に好適な本発明の実施態様として、部材の一部に引っ掛け用の弾性爪を設け、この弾性爪を取付箇所に設定した掛け止め部に掛け止めることによって部材を取り付けるようにしたものであって、前記弾性爪を、基端側を部材に支持させ先端側を突出させた弾性変形可能な一対の脚と、両脚の先端部間を連結する連結部とを具備してなるものにし、脚或いは連結部の一部に掛け止め部と係わり合う引っ掛け部を形成し、前記部材が配線ダクトであり、前記取付箇所がデスクを構成するパネルであり、パネルの下縁に上向きに開口する開口溝を有する折り曲げ部が形成されるとともに、該パネルの折り曲げ部よりも上方位置に幅方向に沿って上向きに開口する開口溝を有するコード受け取付部が形成されており、これらコード受け取付部と折り曲げ部とに亘って縦方向に配線ダクトを配置し、コード受け取付部若しくは折り曲げ部の少なくとも一方を掛け止め部として、配線ダクトの対応位置に下向き鈎形をなす引っ掛け部を有する弾性爪を設けているものが挙げられる。
【００１０】
【実施例】
以下、本発明の一実施例を、図面を参照して説明する。
この実施例の部材取付構造は、図１に示すデスク１を構成するパネル２に、本発明の部材たる配線ダクト３を取り付ける際に利用されるものである。
デスク１は、左右の脚体１１の上端間に天板１２を支持させ、その下肢空間１３の反使用端側を目隠しする位置にパネル２を設けてなるもので、パネル２は、左右の脚体１１の内面間に配置され、下縁に上向きに開口する開口溝２１ａを有する折り曲げ部２１を形成するとともに、この折り曲げ部２１よりも上方位置に、パネル２の面板部の補強を兼ねて、幅方向に沿って上向きに開口する開口溝２２ａを有するコード受け取付部２２を形成している。このコード受け取付部２２は、幅方向の適宜位置にコード受け２３を掛け止め可能なもので、このコード受け２３にコード類を巻き付ける等して保持することができるものである。
【００１１】
そして、前記配線ダクト３の上端側に引っ掛け用の弾性爪３０を対をなして設け、これらの弾性爪３０を本発明の掛け止め部である前記コード受け取付部２２の開口溝２２ａに掛け止めることによって配線ダクト３を取り付け、この配線ダクト３により、床から立ち上げた配線を隠蔽しつつ、天板上に導くことができるようにしている。
【００１２】
配線ダクト３は、図３〜図５に示すように、底壁３１及び一対の側壁３２を具備してなるチャネル状のもので、長手寸法が前記コード受け取付部２２と前記折り曲げ部２１とに亘って起立姿勢で配置可能な寸法に設定され、側壁３２の下端に下向きに開口する凹部３２ａを有するとともに、側壁３２の上端近傍の後縁側に後向きに開口する凹部３２ｂを有している。
【００１３】
各弾性爪３０は、前記配線ダクト３の側壁３２間であって各側壁３２の内側隣接位置にそれぞれ位置づけられるもので、一対の板状をなす脚３０ａ、３０ｂと、それら脚３０ａ、３０ｂの先端部間を連結する連結部３０ｃとから構成されている。脚３０ａ、３０ｂは、基端を配線ダクト３の底壁３１に支持され、先端側を対面状態で配線ダクト３の側壁３２に沿って平行に突出させてなるもので、連結部３０ｃはそれら脚３０ａ、３０ｂの先端部間を略同一の板厚で滑らかに連結しているものである。側壁３２と各脚３０ａ、３０ｂとの間は、成形後に基端側の一定領域Ｘ（図４参照）が相互に樹脂素材により接続された状態となるように、型に簡単な工夫を凝らしたり、或いは成形後に適当な切り込みを入れるなどして上記領域Ｘに接続部Ｘ１を形成している。そして、取付状態で下側に位置する脚３０ｂの下面に、コード受け取付部２２と係わり合う引っ掛け部３０ｄを形成している。この引っ掛け部３０ｄは、前記コード受け取付部２２の開口溝２２ａに掛け止めることができるように、下向き鈎形、すなわち下向きに山形に突出する形状をなしている。
【００１４】
以上の構成からなる配線ダクト３を取り付けるには、先ず、図６に想像線で示す後傾姿勢で、下向きに開口する下端側の凹部３２ａをパネル２の下縁に設けた折り曲げ部２１に上方から嵌めむ。そして、その嵌め合い部分を支点にして配線ダクト３を起立方向に回転させる。このとき、配線ダクト３の上端側に設けた弾性爪３０の引っ掛け部３０ｄは、コード受け取付部２２の上面を乗り越える時に経過的に脚３０ａ、３０ｂが上方へ弾性変形して、乗り越えた位置で脚３０ａ、３０ｂが元の状態に復元し、引っ掛け部３０ｄがコード受け取付部２１の開口溝２１ａに弾性により係わり合うことができる。この状態で、配線ダクト３は、その係わり合い状態を保ったまま幅方向に沿ってスライド移動可能であり、また前記装着時と逆の操作を行えば、この配線ダクト３をパネル２から容易に取り外すことができる。
【００１５】
以上のようにして、本実施例の部材取付構造は、弾性爪３０を、基端側を配線ダクト３に支持させ先端側を対面状態で平行に突出させて同対面方向（図５における矢印方向）に弾性変形可能な一対の脚３０ａ、３０ｂと、両脚３０ａ、３０ｂの先端部間を連結する連結部３０ｃとを具備してなるブロック体状のものにして、脚３０ｂの一部にコード受け取付部２２と係わり合う引っ掛け部３０ｄを形成しており、この掛け止め部３０ｄをコード受け取付部２２に掛け止めることによって、配線ダクト３をパネル２に取り付けることができるようにしているものである。
【００１６】
このため、脚３０ａ、３０ｂが対をなしていることによる強度の倍増と、脚３０ａ、３０ｂが対面状態で突出している構造に起因して弾性変形時に連結部３０ｃを含め全体が撓もうとする際の脚３０ａ、３０ｂ相互の撓み量の違いが抵抗となることによる強度向上も期待することができ、従来の取付構造に比べてより確実な部材の取付状態を実現することが可能となる。特に、本実施例は長期に繰り返し利用されても、弾性変形時に掛かる荷重を各弾性爪３０で分散させて支持することができるため、長期に繰り返し利用しても、弾性爪３０に疲労により損傷や破損が生ずることを有効に防止することができる。
【００１７】
また、配線ダクト３を、弾性爪３０の脚３０ａ、３０ｂに沿って側壁３２を有したものにし、これら側壁３２と各脚３０ａ、３０ｂとの間を基端側の一定領域Ｘに亘って接続しており、この領域Ｘを長くすれば弾性爪３０の変形がより制限を受け、逆に短くすればより変形容易なものになるため、弾性力の微妙な調整等を脚３０ａ、３０ｂの肉厚のみならず上記接続領域の広狭によっても行うことができ、弾性力の設定の自由度等を従来に比べて大幅に向上させることが可能となる。
【００１８】
特に、本実施例は、配線ダクト３を、底壁３１及び一対の側壁３２を具備してなるチャネル状のものとし、それら側壁３２、３２間に位置づけて底壁３１に対をなす弾性爪３０の基端側をそれぞれ支持させるとともに、各弾性爪３０の脚３０ａ、３０ｂと対応する側壁３２との間をそれぞれ基端側の一定領域Ｘに亘って接続しているため、配線ダクト３を左右均等にパネル２に取り付けて取付状態を確実なものにすることができる。
【００１９】
また、本実施例は弾性爪３０を配線ダクト３と共に樹脂により一体成形しているため、簡素に製造できて、所要の弾性変形機能も容易に付与することができる。
以上のように、本実施例は、配線ダクト３をデスク１のパネル２に取り付ける際に極めて有用なものとなり得る。
【００２０】
特に、本実施例のパネル２は、その下縁に上向きに開口する折り曲げ部２１を有するとともに、該パネル２の折り曲げ部２１よりも上方位置に幅方向に沿って上向きに開口するコード受け取付部２２を形成されているものであるが、これらコード受け取付部２２と折り曲げ部２１とに亘って縦方向に配線ダクト３を配置すべく、コード受け取付部２２を掛け止め部として、配線ダクト３の対応位置に下向き鈎形をなす引っ掛け部３０ｄを有する弾性爪３０を設けているため、既存のデスク構造に変更を加えることなく、配線ダクト３を有効に取り付けることが可能となる。
【００２１】
なお、パネルの下縁側の折り曲げ部を掛け止め部として、配線ダクトの対応位置に下向き鈎形をなす引っ掛け部を有する弾性爪を設けておくこともできる。
このようにすれば、上下何れの弾性爪を先に挿入しても、そこを支点にして他方の弾性爪を対応する掛け止め部に係わり合わせることができ、取り付けに係る自由度を有効に向上させることができる。勿論、このような構成は、配線ダクトを単に水平移動させるだけも上下の弾性爪を対応する掛け止め部に係わり合わせることができるので、取り付けの自由度は一層高いものになる。その他、各部の具体的な構成は、図示実施例のものに限定されるものではなく、本発明の趣旨を逸脱しない範囲で種々変形が可能である。また、本発明は、上記デスク以外に可動間仕切壁など種々のものに応用することができる。
【００２２】
【発明の効果】
本発明は、以上説明したような形態で実施され、以下に記載される効果を奏する。
すなわち、本発明の部材取付構造は、弾性爪を掛け止め部に掛け止めて部材を所要取付箇所に取り付けるに際して、弾性爪を、基端側を部材に支持させ先端側を対面状態で突出させて同対面方向に弾性変形可能な一対の脚と、両脚の先端部間を連結する連結部とを具備してなるものにし、脚或いは連結部の一部に掛け止め部と係わり合う引っ掛け部を形成しているとともに、弾性爪が部材と共に一体成形されているものである。
【００２３】
このため、脚が対をなしていることによる強度の倍増に加えて、脚相互の撓み量の違いが抵抗となることによる強度向上も期待することができ、長期に亘り繰り返して利用しても、疲労による損傷や破損を防いで、従来よりも強度や耐久性に優れた取付構造とすることが可能となる。
さらに、弾性爪を部材と共に一体成形しているので、部品点数や工数の削減が図れ、また弾性爪の基端と部材との結合を確実なものにして破損し難い取付構造を実現することができる。
部材が、弾性爪の脚に脚に沿う部分及び該部分から同一平面上に延伸してなる部分を有する側壁を有し、これら脚と側壁の間を一定領域に亘って接続するようにすれば、領域が大きい程、弾性爪の変形が制限を受けるので、脚の肉厚設定と相まって接続領域の寸法設定をも通じて弾性爪の強度や弾性力の微調整を金型の大幅な変更を伴わずに有効に行うことが可能となる。
【００２４】
部材がチャネル状である場合に、該部材の側壁間に位置づけて底壁から一対の弾性爪を突出させ、各弾性爪の脚とその隣接位置にある側壁との間をそれぞれ接続するようにすれば、部材を左右均等に掛け止め部に係わり合わせて、取付状態を安定、確実なものにすることができる。
弾性爪を配線ダクトと共に樹脂により一体成形しているものであれば、簡素に製造できて、所要の弾性変形機能も容易に付与することができる。
【００２５】
以上のような構成であるから、本発明は、部材が配線ダクトであり、取付箇所がデスクを構成するパネルであるものに適用して極めて有用なものとなり得る。その場合、パネルが、上下に折り曲げ部を有していたり、或いはコード受け取付部が設けられている場合には、それらに掛け止めることができるように弾性爪の引っ掛け部を形成することで、パネルに別途加工を施すことを不要にすることができる。
【図面の簡単な説明】
【図１】本発明の一実施例を適用したデスクの斜視図。
【図２】同実施例の取付箇所であるパネルの一部破断した斜視図。
【図３】同実施例の適用対象である配線ダクトを一部省略して示す斜視図。
【図４】同平面図。
【図５】図４におけるＡ矢視図。
【図６】同実施例における配線ダクトのパネルへの取付状態を示す側断面図。
【図７】同一部省略した斜視図。
【符号の説明】
１…デスク
２…取付箇所（パネル）
３…部材（配線ダクト）
２１…折り曲げ部
２２…掛け止め部（配線受け取付部）
３０…弾性爪
３０ａ、３０ｂ…脚
３０ｃ…連結部
３０ｄ…引っ掛け部
３１…底壁
３２…側壁
Ｘ…領域
【図１】
0003580204.tif 000002
【図２】
0003580204.tif 000003
【図３】
0003580204.tif 000004
【図４】
0003580204.tif 000005
【図５】
0003580204.tif 000006
【図６】
0003580204.tif 000007
【図７】
0003580204.tif 000008